【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
（ａ）被験者の身体内に移植するのに適合された拡張性コンパートメント、及び
（ｂ）被験者の身体内に移植するのに適合されたガス源であって、前記拡張性コンパートメントに作動可能に接続されて前記拡張性コンパートメント中にガスを移送することによって前記拡張性コンパートメントを膨張させるガス源
を備えている、組織拡張装置。
【請求項２】
前記拡張性コンパートメントは、少なくとも一部が弾性材料で構築されている、請求項１に記載の装置。
【請求項３】
前記拡張性コンパートメントは、少なくとも一部が非弾性材料で構築されている、請求項１または２に記載の装置。
【請求項４】
前記ガス源は、前記拡張性コンパートメント内に入っている、請求項１に記載の装置。
【請求項５】
前記拡張性コンパートメントは、前記ガス源から、開ループ拡張機構を通じて充填される、請求項１に記載の装置。
【請求項６】
前記ガス源には加圧ガスが入っている、請求項１に記載の装置。
【請求項７】
前記ガス源にはガスを発生する化学反応用の試薬が入っている、請求項１に記載の装置。
【請求項８】
前記ガス源から前記拡張性コンパートメントへの前記ガスの流量を調整する調整器をさらに備えている、請求項１に記載の装置。
【請求項９】
前記調整器は流量制限経路を備えている、請求項８に記載の装置。
【請求項１０】
前記調整器は、前記調整器を通じてガスが交互に流動と流動停止を行なうように設計され構築されたアクチュエータを備えている、請求項８〜９のいずれかに記載の装置。
【請求項１１】
前記調整器は、前記ガス源から前記拡張性コンパートメントへのガスの流量を制限するバルブを備えている、請求項８〜１０のいずれかに記載の装置。
【請求項１２】
前記調整器は、少なくとも一つのデータ処理回路を備えている、請求項８〜１１のいずれかに記載の装置。
【請求項１３】
前記調整器は機械的フィードバックを受ける、請求項８に記載の装置。
【請求項１４】
前記調整器は、入力信号に応答してフィードバックループを実行する、請求項８に記載の装置。
【請求項１５】
前記入力信号は、外部制御器から発する操作指令を含んでいる、請求項１４に記載の装置。
【請求項１６】
前記外部制御器は、前記操作指令を送達すべきであるということを示すコンプライアンスリマインダーを発する、請求項１５に記載の装置。
【請求項１７】
前記拡張性コンパートメントの少なくとも一つパラメータを測定するように配置構成されているセンサをさらに備えている、請求項１に記載の装置。
【請求項１８】
前記拡張性コンパートメントの少なくとも一つのパラメータは、前記コンパートメント内のガス圧の尺度を含んでいる、請求項１７に記載の装置。
【請求項１９】
前記移送を促す電力出力を提供するよう配置構成された電力源をさらに備えている、請求項１１に記載の装置。
【請求項２０】
前記電力源は、装置の外側に位置して、電力を無線方式で装置に伝送する、請求項１９に記載の装置。
【請求項２１】
前記電力源は、データを装置から装置の外側の場所に伝送するための電力を提供する、請求項１９に記載の装置。
【請求項２２】
前記拡張性コンパートメントを囲む外側シェルをさらに備えている、請求項１〜２１のいずれかに記載の装置。
【請求項２３】
前記拡張性コンパートメントは非弾性で変形可能な容器を含んでいる、請求項２２に記載の装置。
【請求項２４】
前記外側シェルは弾性バルーンを含んでいる、請求項２２に記載の装置。
【請求項２５】
前記組織拡張装置は、乳房の自然な外形を形成するように拡張する、請求項１に記載の装置。
【請求項２６】
ガスを前記拡張性コンパートメントから放出する放出バルブをさらに備えている、請求項１〜２５のいずれかに記載の装置。
【請求項２７】
前記ガスの放出には、身体組織中への放出が含まれている、請求項２６に記載の装置。
【請求項２８】
前記ガスの放出には、被験者の身体の外側への経皮放出が含まれている、請求項２６に記載の装置。
【請求項２９】
前記ガスの放出機構は、１５０〜３００ｍｍ水銀柱のセットポイントで作動する、請求項２６〜２８のいずれかに記載の装置。
【請求項３０】
隣接する組織に１０〜２００ｍｍ水銀の拡張圧がかかるように設計され配置構成されている、請求項１〜２９のいずれかに記載の装置。
【請求項３１】
抗微生物コーティングをさらに含んでいる、請求項１に記載の装置。
【請求項３２】
（ａ）被験者の身体内に移植するのに適合された拡張性コンパートメントであって、周りの組織を所望の拡張状態に拡張させるように配置構成されている拡張性コンパートメント、及び
（ｂ）前記身体内に移植するのに適合されかつ前記拡張性コンパートメントに連結されたガス源であって、前記拡張性コンパートメントの膨張が、周りの組織の前記所望の拡張状態への制御された拡張を生じるようにガスの調整可能な移送による前記拡張性コンパートメントの制御可能な膨張のためのガス源
を備えている組織拡張装置。
【請求項３３】
加圧ガス源から低圧領域へのガスの流量を調整する調整機構であって、
（ａ）圧力が少なくとも２０  ＰＳＩのガス源に接続するのに適合された狭い出口、
（ｂ）高圧ガス源から低圧領域中へのガス流を停止するために前記出口に適用できるシール、及び
（ｃ）選択的に前記シールに力を加え及び除いて、選択的にガスの流動を阻止し及びガスを流動させることができる作動可能なコンポーネント、
を備えている、調整機構。
【請求項３４】
（ｄ）摩擦によって前記ガスの流量を制限する、前記狭い出口への細長い狭い経路
をさらに備えている、請求項３３に記載の機構。
【請求項３５】
前記作動可能なコンポーネントによって加えられる前記力によって、前記弾性シールが変形して前記狭い出口をシールする、請求項３４に記載の機構。
【請求項３６】
前記作動可能なコンポーネントを制御する制御器をさらに備えている、請求項３４に記載の機構。
【請求項３７】
前記制御器は回路を備えている、請求項３６に記載の機構。
【請求項３８】
ｏｎ／ｏｆｆ制御がさらに含まれている、請求項３６に記載の機構。
【請求項３９】
前記作動可能なコンポーネントは、少なくとも部分的に電流によって作動している、請求項３６に記載の機構。
【請求項４０】
前記作動可能なコンポーネントは、少なくとも部分的に磁界によって作動している、請求項３６に記載の機構。
【請求項４１】
前記作動可能なコンポーネントは、少なくとも部分的にばねによって作動している、請求項３６に記載の機構。
【請求項４２】
前記作動可能なコンポーネントは、少なくとも部分的に熱変形性エレメントによって作動している、請求項３６に記載の機構。
【請求項４３】
（ａ）被験者の身体内に移植するのに適合された拡張性コンパートメント、及び
（ｂ）被験者の身体内に移植するのに適合された充填源であって、前記拡張性コンパートメンに作動可能に接続されて前記拡張性コンパートメント中に制御可能な方法で流体を移送することによって前記拡張性コンパートメントを膨張させる充填源
を備えた組織拡張装置。
【請求項４４】
前記充填源は、間質液（ＩＳＦ）を集めて前記拡張性コンパートメントに移送するように設計され構築されている、請求項４３に記載の装置。
【請求項４５】
制御器をさらに備え、前記制御器は前記充填機構全体を制御して前記拡張性コンパートメントの充填速度を制御する、請求項４４に記載の装置。
【請求項４６】
パラメトリックセンサをさらに備え、前記パラメトリックセンサは、フィードバックループ内の前記充填源に接続されている、請求項４３に記載の装置。
【請求項４７】
（ａ）以下のものを備えている組織拡張装置：
（ｉ）被験者の身体内に移植するのに適合された拡張性コンパートメント、及び
（ｉｉ）被験者の身体内に移植するのに適合されたガス源であって、前記拡張性コンパートメントに作動可能に接続されて前記拡張性コンパートメント中にガスを移送することによって前記拡張性コンパートメントを膨張させるガス源、及び
（ｂ）無線信号を前記ガス源に伝達して前記組織拡張装置の前記拡張性コンパートメントの充填を調整するように配置構成されている外部制御装置
を備えている、システム。
【請求項４８】
前記信号は磁界を含んでいる、請求項４７に記載の装置。
【請求項４９】
前記信号はＲＦ波を含んでいる、請求項４７に記載の装置。
【請求項５０】
前記信号は前記拡張装置の作動を調節するのに十分な電力を備えている、請求項４７に記載の装置。